(57)【特許請求の範囲】
【請求項１】
放送の電波を受信して中間周波信号を生成するチューナと、
アナログ音声信号を入力するアナログインタフェース部と、
上記中間周波信号の周波数と上記アナログ音声信号の周波数とを合わせるために、上記中間周波信号および上記アナログ音声信号の少なくとも一方の周波数を変換する変調部と、
上記変調部により周波数を合わせられた中間周波信号およびアナログ音声信号をアナログ／デジタル変換し、上記中間周波信号をデジタル放送データに変換するとともに、上記アナログ音声信号を第２のデジタル音声データに変換するＡ／Ｄ変換器とを備え、
上記チューナ、上記アナログインタフェース部、上記変調部および上記Ａ／Ｄ変換器を１チップに集積化して構成したことを特徴とする変調出力装置。
【請求項２】
上記Ａ／Ｄ変換器から出力される上記デジタル放送データを復調してデジタル復調データを生成する処理、および上記Ａ／Ｄ変換器から出力される上記第２のデジタル音声データを変調して第２のデジタル変調データを生成する処理を選択的に行うプロセッサと、
上記プロセッサより出力される上記デジタル復調データおよび上記第２のデジタル変調データをアナログ信号に変換し、上記デジタル復調データから変換したアナログ復調信号を機器内蔵スピーカまたはイヤホン端子に出力するとともに、上記第２のデジタル変調データから変換した第２のアナログ変調信号を送信部に出力するＤ／Ａ変換器と、
上記Ｄ／Ａ変換器より出力される上記第２のアナログ変調信号を送信アンテナから外部に送信する上記送信部とを更に備え、
上記チューナ、上記アナログインタフェース部、上記変調部、上記Ａ／Ｄ変換器、上記プロセッサ、上記Ｄ／Ａ変換器および上記送信部を１チップに集積化して構成したことを特徴とする請求項１に記載の変調出力装置。
【請求項３】
放送の電波を受信して中間周波信号を生成するチューナと、
デジタルの音声データを入力するデジタルインタフェース部と、
アナログ音声信号を入力するアナログインタフェース部と、
上記中間周波信号の周波数と上記アナログ音声信号の周波数とを合わせるために、上記中間周波信号の周波数を変換する変調部と、
上記変調部により周波数を合わせられた中間周波信号およびアナログ音声信号をアナログ／デジタル変換し、上記中間周波信号をデジタル放送データに変換するとともに、上記アナログ音声信号を第２のデジタル音声データに変換するＡ／Ｄ変換器と、
上記Ａ／Ｄ変換器から出力される上記デジタル放送データを復調してデジタル復調データを生成する処理、上記デジタルインタフェース部により入力された音声データをデコードして第１のデジタル音声データを生成する処理、上記デコードにより生成された上記第１のデジタル音声データを変調して第１のデジタル変調データを生成する処理、および上記Ａ／Ｄ変換器から出力される上記第２のデジタル音声データを変調して第２のデジタル変調データを生成する処理を選択的に行うプロセッサと、
上記プロセッサより出力される上記デジタル復調データ、上記第１のデジタル音声データ、上記第２のデジタル音声データ、上記第１のデジタル変調データ、および上記第２のデジタル変調データをアナログ信号に変換し、上記デジタル復調データから変換したアナログ復調信号および上記第１、第２のデジタル音声データから変換した第１、第２のアナログ音声信号を機器内蔵スピーカまたはイヤホン端子に出力するとともに、上記第１、第２のデジタル変調データから変換した第１、第２のアナログ変調信号を送信部に出力するＤ／Ａ変換器と、
上記Ｄ／Ａ変換器より出力される上記第１、第２のアナログ変調信号を送信アンテナから外部に送信する上記送信部とを備え、
上記チューナ、上記デジタルインタフェース部、上記アナログインタフェース部、上記変調部、上記Ａ／Ｄ変換器、上記プロセッサ、上記Ｄ／Ａ変換器および上記送信部を１チップに集積化して構成したことを特徴とする変調出力装置。
【請求項４】
上記１チップはＣＭＯＳプロセスにより構成されていることを特徴とする請求項１〜３の何れか１項に記載の変調出力装置。
【請求項５】
上記プロセッサが行う変調は直交変調処理であることを特徴とする請求項１〜３の何れか１項に記載の変調出力装置。
【発明の詳細な説明】
【技術分野】
【０００１】
本発明は変調出力装置に関し、例えば、ＭＰ３（MPEG-1 Audio Layer-3）等の音楽情報などを変調して外部に送信することを可能にした装置に用いて好適なものである。
【背景技術】
【０００２】
近年、携帯電話機は広く普及し、多機能化が進むとともに多様なサービスが提供されている。最近では、音楽配信サイトからダウンロードしたＭＰ３等の音楽情報を保存し、好きなときに音楽を再生することができる音楽再生機能付きの携帯電話機が開発されている。
【０００３】
しかしながら、この種の携帯電話機では、音楽を聞く際には、携帯電話機内蔵のスピーカで聞くか、またはイヤホン端子にイヤホンやヘッドホンをケーブル接続して聞かなければならない。そのため、再生される音楽が低品質であるという問題や、煩雑な作業をしなければ音楽を聞けないという問題を有していた。
【０００４】
このような問題に鑑みて、再生された音楽情報をＦＭ変調して無線送信する構成を備えた携帯電話機やアダプタが提案されている（例えば、特許文献１，２，３参照）。
【特許文献１】特開平６−３０９８５４号公報
【特許文献２】特開２００３−１１０６６５号公報
【特許文献３】特開２００３−２０４３７５号公報
【０００５】
上記特許文献１に記載のアダプタでは、アダプタ本体にＣＤプレーヤを固定するとともに、アダプタ本体に設けたＦＭトランスミッタによりＣＤプレーヤの音声信号出力をＦＭ帯域の電波に変換して既設ＦＭ付きラジオへ無線転送する。そして、ラジオをチューニングすることにより、ＣＤプレーヤの音声を車室内の音響システムから出力できるようにしている。
【０００６】
また、上記特許文献２に記載の携帯電話機では、記憶部に格納された音楽データを読み出し、復号化等を行って音楽信号として再生処理する。そして、この再生音楽信号を周波数変調し、ＦＭ信号としてＦＭアンテナから送信する。このＦＭ信号をＦＭラジオで受信し、ＦＭラジオにおいてＦＭ信号を復調して再生することにより、携帯電話機で再生した音楽を所望の音量に拡声して出力することを可能としている。
【０００７】
また、上記特許文献３に記載の携帯電話機では、キー入力を行うキー入力部と、音楽情報を記憶する音楽情報記憶部と、音楽情報を音楽信号として再生する音楽再生部と、音楽情報のＦＭ変調を行うＦＭ変調部と、全体を制御する主制御部とを有し、主制御部がキー入力部における所定キーのオンを検知したときに、再生音楽信号をＦＭ変調部にてＦＭ変調して無線送信するようにしている。
【発明の開示】
【発明が解決しようとする課題】
【０００８】
本発明は、このような問題を解決するために成されたものであり、ＡＭ放送用およびＦＭ放送用の局部発振信号を１つのＰＬＬ回路で発生できるように構成されたラジオ受信機において、当該局部発振信号を発生する際の基準となる基準発振信号の周波数を比較的大きくとれるようにすることを目的とする。
【課題を解決するための手段】
【０００９】
しかしながら、上記従来の技術において、再生したＭＰ３等の音楽情報を携帯電話機内蔵のスピーカやイヤホン等から出力することに加えて、再生した音楽情報をＦＭ変調して無線送信することも可能とするためには、内蔵スピーカやイヤホン端子に再生音楽情報を出力する処理系統と、再生音声情報をＦＭ変調して無線送信する処理系統との２つを設けなければならない。そのため、回路構成が煩雑で大規模になるという問題があった。
【００１０】
また、最近ではＦＭラジオの受信チューナを内蔵した携帯電話機も開発されている。上述したＭＰ３等の音楽情報の再生機能と、音楽情報のＦＭ変調送信機能とに加えて、更にＦＭラジオの受信機能も含めるとなると、内蔵スピーカやイヤホン端子に再生音楽情報を出力する処理系統、再生音声情報をＦＭ変調して無線送信する処理系統、ＦＭラジオを受信して再生する処理系統の３つが必要となる。
【００１１】
さらに、アナログ入力インタフェースを内蔵し、ＦＭラジオ以外のアナログ音声を入力して再生する機能も含めると、全部で４つ処理系統が必要となる。このように、携帯電話機に多くの機能を持たせるほど、回路構成は更に煩雑で大規模になるという問題があった。近年では、携帯電話機は小型・軽量化の要求が強く、できるだけ簡単な構成で実現することが望まれる。
【００１２】
本発明は、このような問題を解決するために成されたものであり、音声情報を携帯電話機等の内蔵スピーカやイヤホン等から出力する機能と、音声情報を変調して携帯電話機等の外部に無線送信する機能とをできるだけ簡単な構成で実現できるようにすることを目的とする。
【００１３】
上記した課題を解決するために、本発明の変調出力装置は、放送の電波を受信して中間周波信号を生成するチューナと、アナログ音声信号を入力するアナログインタフェース部と、中間周波信号の周波数とアナログ音声信号の周波数とを合わせるために、中間周波信号およびアナログ音声信号の少なくとも一方の周波数を変換する変調部と、変調部により周波数を合わせられた中間周波信号およびアナログ音声信号をそれぞれデジタル放送データおよびデジタル音声データに変換するＡ／Ｄ変換器とを備えている。
【００１４】
本発明の他の態様による変調出力装置は、Ａ／Ｄ変換器から出力されるデジタル放送データを復調してデジタル復調データを生成する処理およびＡ／Ｄ変換器から出力されるデジタル音声データを変調してデジタル変調データを生成する処理を選択的に行うプロセッサと、プロセッサより出力されるデジタル復調データおよびデジタル変調データをアナログ信号に変換し、デジタル復調データから変換したアナログ復調信号を機器内蔵スピーカまたはイヤホン端子に出力するとともに、デジタル変調データから変換したアナログ変調信号を送信部に出力するＤ／Ａ変換器と、Ｄ／Ａ変換器より供給されるアナログ変調信号を送信アンテナから外部に送信する送信部とを更に備えている。
【００１５】
上記のように構成した本発明によれば、放送の受信再生に関する処理と、入力されたアナログ音声信号を変調して無線送信する処理との２種類の内容の処理について、放送信号をデジタルデータに変換してプロセッサに供給する動作やアナログ音声信号をデジタルデータに変換してプロセッサに供給する動作が１つのＡ／Ｄ変換器を共用して行われることとなる。したがって、放送を受信して再生する機能と、アナログインタフェース部から入力したアナログ音声情報を変調して外部に無線送信する機能とをできるだけ簡単な構成で実現することができる。
【００１６】
本発明の他の特徴によれば、プロセッサから出力されたデジタルデータをアナログ信号に変換する動作が、音声情報を機器内蔵のスピーカやイヤホン等から出力する場合と、音声情報を変調して機器の外部に無線送信する場合との２種類の内容の処理について１つのＤ／Ａ変換器を共用して行われることとなる。これにより、上述した２種類の内容の処理を１つのプロセッサおよび１つのＤ／Ａ変換器で行うことができ、処理の内容ごとに異なる処理系統の回路を設ける必要がなくなる。したがって、音声情報を機器の内蔵スピーカやイヤホン等から出力する機能と、音声情報を変調して外部に無線送信する機能とをできるだけ簡単な構成で実現することができる。
【図面の簡単な説明】
【００１７】
図１は、第１の実施形態による変調出力装置の構成例を示すブロック図である。
図２は、第１の実施形態によるＤＳＰおよび第２、第３の実施形態によるＤＳＰ内の変調処理部の構成例を示す図である。
図３は、第１の実施形態による変調出力装置の変形例を示すブロック図である。
図４は、第２の実施形態による変調出力装置の構成例を示すブロック図である。
図５は、第３の実施形態による変調出力装置の構成例を示すブロック図である。
【発明を実施するための最良の形態】
【００１８】
（第１の実施形態）
以下、本発明による第１の実施形態を図面に基づいて説明する。図１は、第１の実施形態による変調出力装置１０の構成例を示すブロック図である。図１に示すように、本実施形態の変調出力装置１０は、デジタルインタフェース（Ｉ／Ｆ）１１、ＤＳＰ（Digital Signal Processor）１２、ＲＯＭ１３、Ｄ／Ａ変換器１４および送信部１５を備えて構成されている。これらの各機能ブロック１１〜１５は、全てＣＭＯＳプロセスで１チップに集積化されている。また、この図１に示す変調出力装置１０は、例えば携帯電話機に実装される。
【００１９】
デジタルＩ／Ｆ１１は、変調出力装置１０の外部との間でデジタルデータのやり取りを行うためのインタフェース部分である。例えば、デジタルＩ／Ｆ１１は、これに接続されたＭＰ３プレーヤ５０から、そこに記憶されているＭＰ３等の音楽データを入力する。このＭＰ３プレーヤ５０も、例えば携帯電話機に実装される。
【００２０】
ＭＰ３プレーヤ５０は、外部メモリ５１およびデコーダ５２を備えている。外部メモリ５１はＭＰ３等の音楽データを記憶するものであり、例えば不揮発性の半導体メモリやハードディスクなどで構成される。デコーダ５２は、外部メモリ５１より読み出された音楽データをデコードしてデジタル音楽データを生成する。
【００２１】
ＤＳＰ１２は、デジタルＩ／Ｆ１１より入力されたデコード処理済みのデジタル音楽データを変調してデジタル変調データ（本発明の第１のデジタル変調データに相当）を生成する処理を必要に応じて行う。ここでＤＳＰ１２が入力するデジタル音楽データは、ＬチャンネルおよびＲチャンネルのステレオ音声データである。ＤＳＰ１２は、このステレオ音声データをベースバンド周波数の領域で必要に応じて変調する。
【００２２】
例えば、ＭＰ３プレーヤ５０で再生された音楽情報を携帯電話機の内蔵スピーカやイヤホン等（図示せず）から出力する場合には、ＤＳＰ１２は変調処理を実行しない。一方、ＭＰ３プレーヤ５０で再生された音楽情報を変調して携帯電話機の外部に無線送信する場合には、ＤＳＰ１２は変調処理を実行する。
【００２３】
ＤＳＰ１２が行う変調の方式は任意である。例えば、ＡＭ変調、ＦＭ変調、ＰＭ変調、ＦＳＫ変調、ＰＳＫ変調、ＡＰＳＫ変調、デジタル放送の変調方式（ＱＰＳＫ、ＢＰＳＫ、ＱＡＭなどのＩＱ変調）などを適用することが可能である。ＲＯＭ１３は、ＤＳＰ１２の動作を制御するためのプログラムを格納している。変調出力装置１０が実装される携帯電話機には各種の操作キー（図示せず）が設けられており、ユーザがその操作キーを操作することによって、ＭＰ３等の音楽情報の内部再生（内蔵スピーカ等への出力）、再生音楽情報の変調送信の何れかの動作を指定することが可能である。ＤＳＰ１２は、ＲＯＭ１３に格納されている各種制御プログラムのうち、指定された動作に対応する制御プログラムに従ってデジタル信号処理を実行する。
【００２４】
Ｄ／Ａ変換器１４は、ＤＳＰ１２より出力されるデジタル音楽データおよびデジタル変調データをアナログ信号に変換する。そして、デジタル音楽データをＤ／Ａ変換したときは、変換されたアナログ音楽信号（本発明の第１のアナログ音声信号に相当）をイヤホン端子５４または図示しない携帯電話機内蔵スピーカに出力する。また、デジタル変調データをＤ／Ａ変換したときは、変換されたアナログ変調信号（本発明の第１のアナログ変調信号に相当）を送信部１５に出力する。
【００２５】
このような出力先の切り替えは、例えば、ＤＳＰ１２がＲＯＭ１３に格納されている制御プログラムに従って実行する。例えば、Ｄ／Ａ変換器１４の出力段に、出力先の切替スイッチを設けておく。そして、ＭＰ３プレーヤ５０で再生された音楽情報を携帯電話機の内蔵スピーカやイヤホン等から出力することが指定されている場合には、ＤＳＰ１２の制御によって切替スイッチをイヤホン端子５４または図示しない携帯電話機内蔵スピーカの方に切り替える。一方、ＭＰ３プレーヤ５０で再生された音楽情報を変調して携帯電話機の外部に無線送信することが指定されている場合には、ＤＳＰ１２の制御によって切替スイッチを送信部１５の方に切り替える。
【００２６】
送信部１５は、Ｄ／Ａ変換器１４より出力されるアナログ変調信号を送信アンテナ５５から外部に送信する。ここで、送信部１５は、Ｄ／Ａ変換器１４より出力されるアナログ変調信号に対してキャリア周波数の領域で変調をかけ、無線送信可能な周波数帯域に周波数を持ち上げてから送信する。その場合の変調方式は任意である。例えば、ＡＭ変調、ＦＭ変調、ＰＭ変調などを適用することが可能である。送信部１５より外部に送信されたアナログ変調信号は、携帯電話機とは別体のラジオ受信機（図示せず）にて受信される。そして、ラジオ受信機においてアナログ変調信号を復調して再生することにより、携帯電話機の外部メモリ５１から再生されたＭＰ３等の音楽情報をラジオ受信機の高性能なスピーカから出力することができる。なお、ここではラジオ受信機を用いているが、受信したアナログ変調信号を復調してスピーカから出力する機能を備えている電子機器であれば、ラジオ受信機以外でも適用することが可能である。
【００２７】
図１に示したように、本実施形態の変調出力装置１０では、ＭＰ３等の音楽情報を携帯電話機の内蔵スピーカやイヤホン等から出力する処理と、再生された音楽情報を変調して無線送信する処理との２種類の内容の処理に関して、ＤＳＰ１２から出力されたデジタルデータをアナログ信号に変換するＤ／Ａ変換器を当該２種類の内容の処理ごとに別個に設けるのではなく、１つのＤ／Ａ変換器１４を用いてＤ／Ａ変換を行い、処理の内容ごとに出力先を切り替えるようにしている。これにより、２種類の内容の処理ごとに複数のＤ／Ａ変換器を設ける必要がなくなる。以上のことから、外部メモリ５１から再生したＭＰ３等の音楽情報を携帯電話機の内蔵スピーカやイヤホン等から出力する機能と、再生した音楽情報を変調して外部に送信する機能とをできるだけ簡単な構成で実現することができ、携帯電話機の小型・軽量化に貢献できる。
【００２８】
図２は、上記ＤＳＰ１２および送信部１５の具体的な構成例を示す図である。なお、ここでは、変調方式としてＩＱ変調（直交変調）を利用したＦＭステレオ変調を適用した場合の構成例を示している。
【００２９】
図２において、１Ｌ，１Ｒはリミッタ／プリエンファシス回路であり、デジタルＩ／Ｆ１１よりデジタル信号として入力されるＬチャネル信号およびＲチャネル信号のそれぞれに対して、振幅を制限する処理および高域の変調度を強調するための処理を行う。２Ｌ，２Ｒはローパスフィルタ（ＬＰＦ）であり、振幅制限および高域強調されたＬチャネル信号およびＲチャネル信号に対して帯域制限を施す。
【００３０】
３はステレオ信号発生部であり、ＬＰＦ２Ｌ，２Ｒを通過したＬチャネル信号およびＲチャネル信号からステレオコンポジット信号を生成する。このステレオ信号発生部３は、加算器３ａ、減算器３ｂ、平衡変調器３ｃおよび加算器３ｄ、副搬送波発生部３ｅ、パイロット信号発生部３ｆを備えて構成されている。
【００３１】
加算器３ａおよび減算器３ｂはマトリクス回路を構成し、ＬＰＦ２Ｌ，２Ｒから出力されるＬチャネル信号およびＲチャネル信号を、Ｌ＋Ｒの和信号（主信号）およびＬ−Ｒの差信号（副信号）に変換する。ここで生成された和信号Ｌ＋Ｒは加算器３ｄへ出力され、差信号Ｌ−Ｒは平衡変調器３ｃへ出力される。
平衡変調器３ｃは、副搬送波発生部３ｅより入力される３８ＫＨｚの副搬送波信号を、減算器３ｂより入力される差信号Ｌ−Ｒにより搬送波抑圧式で振幅変調（ＡＭ）し、その結果を副信号として加算器３ｄに出力する。
【００３２】
上述の副搬送波発生部３ｅより出力される副搬送波信号は、パイロット信号発生部３ｆで周波数が１／２にされ、１９ＫＨｚのパイロット信号として加算器３ｄに出力される。加算器３ｄは、加算器３ａより出力される和信号Ｌ＋Ｒと、平衡変調器３ｃより出力される平衡変調された差信号Ｌ−Ｒと、パイロット信号発生部３ｆより出力されるパイロット信号とを合成し、その結果をステレオコンポジット信号として出力する。
【００３３】
４は第１の直交変調部であり、ＦＭ信号の発生のための積分器４ａおよびＰＭ変調部４ｂを備えている。積分器４ａは、ステレオ信号発生部３より出力されるステレオコンポジット信号を積分する。
【００３４】
ＰＭ変調部４ｂは、ステレオ信号発生部３により生成され積分器４を通過したステレオコンポジット信号をベースバンド周波数領域でＰＭ変調する。すなわち、ＰＭ変調部４ｂは、ベースバンド周波数に基づく（ｓｉｎωmｔ）のｓｉｎテーブル情報および（ｃｏｓωmｔ）のｃｏｓテーブル情報を有しており、これらのテーブル情報を用いて、入力されたステレオコンポジット信号を同相信号（Ｉ信号）とそれに直角の位相を持つ直交信号（Ｑ信号）とに分割する。そして、分割したＩ信号とＱ信号をベースバンド周波数領域で位相変調する。ここで用いるベースバンド周波数は、例えば０〜７５ＫＨｚの何れかである。
【００３５】
このように、ステレオ信号発生部３より入力されるステレオコンポジット信号を積分し、その信号でＰＭ変調をかけると、ステレオコンポジット信号はＦＭ変調されたことになる。なお、積分器４ａを外せば、ステレオコンポジット信号をＰＭ変調することができる。また、積分器４ａを外してＰＭ変調部４ｂの代わりにＡＭ変調部を設ければ、ステレオコンポジット信号をＡＭ変調することができる。
【００３６】
５は周波数オフセット部であり、第１の直交変調部４より入力されるＩ信号，Ｑ信号の周波数にオフセットを加える。ここで加えるオフセット周波数は、例えば、３０８ＫＨｚまたは１．９２ＭＨｚである。
【００３７】
周波数オフセット部５は、第１のミキサ５ａ、第２のミキサ５ｂおよび搬送波発生部５ｃを備えている。第１のミキサ５ａは、搬送波発生部５ｃより入力される同相（ｃｏｓωsｔ）の搬送波でＩ信号の周波数をシフトする。また、第２のミキサ５ｂは、搬送波発生部５ｃより入力される直交（ｓｉｎωsｔ）の搬送波でＱ信号の周波数をシフトする。ここで用いる搬送波の周波数が３０８ＫＨｚまたは１．９２ＭＨｚである。
【００３８】
搬送波発生部５ｃは、例えば３０８ＫＨｚの周波数で、振幅がほぼ等しく、位相が相互に９０°ずれた、同相および直交の搬送波を生成し、同相の搬送波を第１のミキサ５ａに、直交の搬送波を第２のミキサ５ｂに供給する。この搬送波発生部５ｃもｓｉｎテーブル情報およびｃｏｓテーブル情報を有し、これらのテーブル情報を使ってｃｏｓωsｔの搬送波とｓｉｎωsｔの搬送波とを生成する。
【００３９】
ところで、ＩＱ変調を行う場合には、振幅が同じで、かつ、位相が９０°ずれたＩ信号とＱ信号を作る必要があるが、アナログ信号処理でこのようなＩ信号とＱ信号を作るのは難しい。アナログ回路では素子のバラツキやディレイのバラツキなどがあるために、振幅が同じで、かつ、位相が９０°ずれた信号を正確に作るのが困難だからである。したがって、本実施形態のようにＤＳＰ１２によってデジタル信号処理として変調処理を行うと、ＩＱ変調を容易に行うことができる。
【００４０】
図１では図示を省略しているが、ＤＳＰ１２の外部には、実際には図２のような水晶発振回路１０１および基準周波数発生器１０２が存在する。このうち基準周波数発生器１０２は、図１の各機能ブロック１１〜１５と共にＣＭＯＳプロセスで１チップに集積化されている。
【００４１】
水晶発振回路１０１は、所定の周波数の信号を発生する。基準周波数発生器１０２は、水晶発振回路１０１から出力されるクロック信号の周波数を固定の分周比で分周し、サンプリング周波数Ｆsの基準信号を発生する。このサンプリング周波数Ｆsは、例えば１５２ＫＨｚである。上述した副搬送波発生部３ｅは、この基準信号のサンプリング周波数Ｆsを等価的に１／４に分周して３８ＫＨｚの副搬送波信号を生成する。
【００４２】
１４Ｉ，１４ＱはＤ／Ａ変換器であり、周波数オフセット部５よりデジタル信号として入力されるＩ信号およびＱ信号をそれぞれアナログ信号に変換する。
【００４３】
６は第２の直交変調部であり、Ｄ／Ａ変換器１４Ｉ，１４Ｑによりアナログ信号に変換されたＩ信号およびＱ信号を用いて直交変調を行う。すなわち、第２の直交変調部６内において、第１のミキサ６ａは、Ｄ／Ａ変換器１４Ｉから供給されるＩ信号を同相（ｃｏｓωcｔ）の搬送波で変調する。また、第２のミキサ６ｂは、Ｄ／Ａ変換器１４Ｑから供給されるＱ信号を直交（ｓｉｎωcｔ）の搬送波で変調する。ここで用いる搬送波の周波数は、例えば７６〜１０８ＭＨｚのＦＭ周波数帯域の周波数である。加算器６ｃは、ミキサ６ａ，６ｂによって直交変調されたＩ信号およびＱ信号を合成し、最終的なステレオＦＭ変調信号として出力する。
【００４４】
第２の直交変調部６は、ＤＳＰ１２で構成されている第１の直交変調部４と異なり、アナログ回路としてＩＱ変調を実現している。第１の直交変調部４では低周波で広帯域のベースバンド領域で変調をするために、Ｉ信号用の搬送波とＱ信号用の搬送波の振幅や位相を精度よく合わせ込む必要があり、デジタル信号処理としてのＤＳＰ１２が適している。これに対して、第２の直交変調部６では変調周波数がＦＭ周波数帯域の高周波で狭帯域であるため、ベースバンド領域でＩＱ変調を行う場合ほど搬送波の振幅や位相の精度が要求されない。よって、アナログ回路として第２の直交変調部６を構成することが可能である。
【００４５】
通常、周波数変調を行う際に周波数変換をすると、イメージノイズやキャリアリークが発生する。しかし、本実施形態では、０〜７５ＫＨｚのベースバンド周波数領域でＩＱ変調を行う第１の直交変調部４と、３０８ＫＨｚまたは１．９２ＭＨｚのオフセット周波数を加える周波数オフセット部５と、ＦＭ周波数領域でＩＱ変調を行う第２の直交変調部６とを設け、３段階に分けて変調を行っている。そして、第１の直交変調部４で生成したＩ信号とＱ信号を周波数オフセット部５でまた位相を９０°ずらしてやることにより、サイドスプリアスが減衰し、０〜７５ＫＨｚの周波数に対して３０８ＫＨｚまたは１．９２ＭＨｚのオフセットを加えた際に生じるキャリアリークやイメージノイズを抑制することができる。また、周波数オフセット部５で生成したＩ信号とＱ信号を第２の直交変調部６でまた位相を９０°ずらしてやることにより、サイドスプリアスが減衰し、３０８ＫＨｚまたは１．９２ＭＨｚからＦＭ周波数に周波数変換した際に生じるキャリアリークやイメージノイズを抑制することができる。
【００４６】
７はＲＦアンプであり、第２の直交変調部６から出力されるステレオ変調信号を増幅し、アンテナ５５を介して送信する。８はシンセサイザであり、第２の直交変調部６内の２つのミキサ６ａ，６ｂに供給する搬送波を生成する。すなわち、シンセサイザ８は、振幅がほぼ等しく、位相が相互に９０°ずれた、同相および直交の搬送波を生成し、同相の搬送波を第１のミキサ６ａに、直交の搬送波を第２のミキサ６ｂに供給する。９は負荷容量値変更部であり、コイルＬ、可変容量ダイオードＤ１およびコンデンサＣ１を備え、当該可変容量ダイオードＤ１を用いて、シンセサイザ８で発生する搬送波の周波数を可変制御する。
【００４７】
この例においてシンセサイザ８は、その内部に水晶発振回路や基準周波数発生器を含み、これらを用いて搬送波を生成するように構成されているが、基準周波数発生器１０２から出力される基準信号を利用して搬送波を生成するようにしても良い。
【００４８】
なお、上記第１の実施形態では、ＲＯＭ１３を変調出力装置１０の構成要素に含め、これも含めて１チップに集積化する例について説明したが、ＲＯＭ１３はチップ外に設けても良い。
【００４９】
また、上記第１の実施形態では、変調出力装置１０がデジタルＩ／Ｆ１１を備え、変調出力装置１０がデジタルＩ／Ｆ１１を介してＭＰ３プレーヤ５０からデジタル音楽データを入力する例について説明したが、これに限定されない。例えば、図３に示すように、変調出力装置１０がデジタルＩ／Ｆ１１の代わりにアナログＩ／Ｆ１６およびＡ／Ｄ変換器１７を備え、ＭＰ３プレーヤ５０がＤ／Ａ変換器５３を更に備えるようにしても良い。なお、図３でも図示を省略しているが、ＤＳＰ１２の外部には、実際には図２のような水晶発振回路１０１および基準周波数発生器１０２が存在する。
【００５０】
図３のように構成した場合、Ｄ／Ａ変換器５３は、デコーダ５２により生成されたデジタル音楽データをアナログ信号に変換する。アナログＩ／Ｆ１６は、これに接続されたＭＰ３プレーヤ５０からアナログ音楽信号を入力する。Ａ／Ｄ変換器１７は、アナログＩ／Ｆ１６より入力されたアナログ音楽信号をデジタル音楽データに変換する。ＤＳＰ１２は、Ａ／Ｄ変換器１７より出力されるデジタル音楽データをステレオ変調してデジタル変調データを生成する処理を必要に応じて行う。
【００５１】
（第２の実施形態）
次に、本発明による第２の実施形態を図面に基づいて説明する。図４は、第２の実施形態による変調出力装置２０の構成例を示すブロック図である。なお、この図４において、図１に示した符号と同一の符号を付したものは同一の機能を有するものであるので、ここでは重複する説明を省略する。
【００５２】
図４に示すように、本実施形態の変調出力装置２０は、デジタルＩ／Ｆ１１、ＲＯＭ１３、Ｄ／Ａ変換器１４、送信部１５、ラジオ受信チューナ２１、Ａ／Ｄ変換器２２およびＤＳＰ２３を備えて構成されている。これらの各機能ブロックは、全てＣＭＯＳプロセスで１チップに集積化されている。また、この図４に示す変調出力装置２０は、外部メモリ５１と共に、例えば携帯電話機に実装される。
【００５３】
ラジオ受信チューナ２１は、ラジオ放送の電波を受信して中間周波信号を生成する。具体的には、このラジオ受信チューナ２１は、高周波増幅回路と、混合回路と、局部発振回路とを備えて構成されている。高周波増幅回路は、受信アンテナ５６で受信したラジオ放送の高周波信号を、次の周波数変換処理に必要なレベルにまで増幅する。混合回路は、高周波増幅回路で増幅された高周波信号を、希望受信周波数に応じて局部発振回路により制御された局部発振周波数の信号と混合することにより、中間周波信号を生成して出力する。このラジオ受信チューナ２１は、ＦＭ用の受信チューナであっても良いし、ＡＭ用の受信チューナであっても良いし、ＡＭ／ＦＭ兼用の受信チューナであっても良い。また、ラジオ受信チューナ２１の代わりに、衛星放送やデジタル放送などの受信チューナを用いても良い。
【００５４】
Ａ／Ｄ変換器２２は、ラジオ受信チューナ２１から出力される中間周波信号をデジタルラジオデータ（本発明のデジタル放送データに相当）に変換する。
デジタルＩ／Ｆ１１は、これに接続された外部メモリ５１から、そこに記憶されているＭＰ３等の音楽データを入力する。
【００５５】
ＤＳＰ２３は、その機能構成として、復調処理部２３ａ、デコード処理部２３ｂおよび変調処理部２３ｃを備えている。復調処理部２３ａは、Ａ／Ｄ変換器２２から出力されるデジタルラジオデータに対して検波、ステレオ復調、ディエンファシス等を行ってデジタル復調データを生成する。デコード処理部２３ｂは、デジタルＩ／Ｆ１１により入力された音楽データをデコードしてデジタル音楽データ（本発明の第１のデジタル音声データに相当）を生成する。変調処理部２３ｃは、上述のデコード処理により生成されたデジタル音楽データをステレオ変調してデジタル変調データ（本発明の第１のデジタル変調データに相当）を生成する。ここで変調処理部２３ｃが入力するデジタル音楽データは、ＬチャンネルおよびＲチャンネルのステレオ音声データである。変調処理部２３ｃは、図２に示したＤＳＰ１２内の構成と同様に構成されている。また、図４でも図示を省略しているが、ＤＳＰ２３の外部には、実際には図２のような水晶発振回路１０１および基準周波数発生器１０２が存在する。
【００５６】
復調処理部２３ａ、デコード処理部２３ｂおよび変調処理部２３ｃの処理は、ＲＯＭ１３に格納されている各種制御プログラムに従って選択的に行われる。例えば、ラジオ受信チューナ２１で受信したラジオ放送の音声情報を携帯電話機の内蔵スピーカやイヤホン等（図示せず）から出力する場合には、復調処理部２３ａのみが動作し、デコード処理部２３ｂおよび変調処理部２３ｃは動作しない。
【００５７】
また、外部メモリ５１から再生されたＭＰ３等の音楽情報を携帯電話機の内蔵スピーカやイヤホン等（図示せず）から出力する場合には、デコード処理部２３ｂのみが動作し、復調処理部２３ａおよび変調処理部２３ｃは動作しない。一方、ＭＰ３等の音楽情報を変調して携帯電話機の外部に無線送信する場合には、デコード処理部２３ｂおよび変調処理部２３ｃが動作し、復調処理部２３ａは動作しない。
【００５８】
変調処理部２３ｃが行う変調の方式は任意である。例えば、ＡＭ変調、ＦＭ変調、ＰＭ変調、ＦＳＫ変調、ＰＳＫ変調、ＡＰＳＫ変調、デジタル放送の変調方式（ＱＰＳＫ、ＢＰＳＫ、ＱＡＭなどのＩＱ変調）などを適用することが可能である。変調処理部２３ｃが行う変調処理の内容は、図１に示したＤＳＰ１２が行う変調処理と同様である。
【００５９】
変調出力装置２０が実装される携帯電話機には各種の操作キーが設けられており、ユーザがその操作キーを操作することによって、ラジオの受信再生、ＭＰ３等の音楽情報の内部再生（内蔵スピーカ等への出力）、再生音楽情報の変調送信の何れかの動作を指定することが可能である。ＤＳＰ２３は、ＲＯＭ１３に格納されている各種制御プログラムのうち、指定された動作に対応する制御プログラムに従ってデジタル信号処理を実行する。
【００６０】
Ｄ／Ａ変換器１４は、ＤＳＰ２３より出力されるデジタル復調データ、デジタル音楽データおよびデジタル変調データをアナログ信号に変換する。そして、デジタル復調データをＤ／Ａ変換したときは、変換されたアナログ復調信号を携帯電話機のイヤホン端子５４または図示しない携帯電話機内蔵スピーカに出力する。また、デジタル音楽データをＤ／Ａ変換したときは、変換されたアナログ音楽信号（本発明の第１のアナログ音声信号に相当）をイヤホン端子５４または図示しない携帯電話機内蔵スピーカに出力する。また、デジタル変調データをＤ／Ａ変換したときは、変換されたアナログ変調信号（本発明の第１のアナログ変調信号に相当）を送信部１５に出力する。
【００６１】
このような出力先の切り替えは、例えば、ＤＳＰ２３がＲＯＭ１３に格納されている制御プログラムに従って実行する。例えば、Ｄ／Ａ変換器１４の出力段に、出力先の切替スイッチを設けておく。そして、ラジオ受信チューナ２１で受信された音声情報や外部メモリ５１から読み出されたＭＰ３等の音楽情報を携帯電話機の内蔵スピーカやイヤホン等から出力することが指定されている場合には、ＤＳＰ２３の制御によって切替スイッチをイヤホン端子５４または図示しない携帯電話機内蔵スピーカの方に切り替える。一方、外部メモリ５１から読み出されたＭＰ３の音楽情報を変調して携帯電話機の外部に無線送信することが指定されている場合には、ＤＳＰ２３の制御によって切替スイッチを送信部１５の方に切り替える。
【００６２】
図４に示したように、第２の実施形態の変調出力装置２０では、ラジオ放送の中間周波信号の復調に関する処理と、ＭＰ３等の音楽情報の再生に関する処理と、再生された音楽情報を変調して無線送信する処理との全てを、ＤＳＰ２３にてデジタル信号処理として行うようにしている。これにより、３種類の内容の処理を１つのＤＳＰ２３で行うことができ、処理の内容ごとに異なる処理系統の回路を設ける必要がなくなる。
【００６３】
また、ＤＳＰ２３から出力されたデジタルデータをアナログ信号に変換するＤ／Ａ変換器に関しても、３種類の内容の処理ごとに別個に設けるのではなく、１つのＤ／Ａ変換器１４を用いて変換を行い、処理の内容ごとに出力先を切り替えるようにしている。これにより、複数のＤ／Ａ変換器を設ける必要もなくなる。以上のことから、外部メモリ５１から再生したＭＰ３等の音楽情報を携帯電話機の内蔵スピーカやイヤホン等から出力する機能と、再生した音楽情報を変調して外部に送信する機能と、ラジオ放送を受信して再生する機能とをできるだけ簡単な構成で実現することができ、携帯電話機の小型・軽量化に貢献できる。
【００６４】
なお、上記第２の実施形態では、ラジオ受信チューナ２１およびＡ／Ｄ変換器２２を変調出力装置２０の構成要素に含め、これらも含めて１チップに集積化する例について説明したが、本発明はこれに限定されない。本発明の変調出力装置は、ラジオ受信チューナ２１およびＡ／Ｄ変換器２２以外のデジタルＩ／Ｆ１１、ＤＳＰ２３、ＲＯＭ１３、Ｄ／Ａ変換器１４および送信部１５を含むものとし、これらを１チップに集積化して構成したものであっても良い。
【００６５】
また、上記第２の実施形態では、ＲＯＭ１３を変調出力装置２０の構成要素に含め、これも含めて１チップに集積化する例について説明したが、ＲＯＭ１３はチップ外に設けても良い。
【００６６】
また、上記第２の実施形態では、ラジオ受信チューナ２１で受信したラジオ放送の音声情報については必ず携帯電話機の内蔵スピーカやイヤホン等から出力する例について説明したが、ラジオ放送の音声情報についても、これを変調して外部に送信できるように構成しても良い。
【００６７】
（第３の実施形態）
次に、本発明による第３の実施形態を図面に基づいて説明する。図５は、第３の実施形態による変調出力装置３０の構成例を示すブロック図である。なお、この図５において、図４に示した符号と同一の符号を付したものは同一の機能を有するものであるので、ここでは重複する説明を省略する。
【００６８】
図５に示すように、第３の実施形態による変調出力装置３０は、デジタルＩ／Ｆ１１、ＲＯＭ１３、Ｄ／Ａ変換器１４、送信部１５、ラジオ受信チューナ２１、アナログＩ／Ｆ３１、変調部３２、Ａ／Ｄ変換器３３およびＤＳＰ３４を備えて構成されている。これらの各機能ブロックは、全てＣＭＯＳプロセスで１チップに集積化されている。また、この図５に示す変調出力装置３０は、外部メモリ５１やアナログ再生装置５７と共に、例えば携帯電話機に実装される。
【００６９】
アナログＩ／Ｆ３１は、変調出力装置３０の外部に接続されたアナログ再生装置５７との間でアナログ信号のやり取りを行うためのインタフェース部分である。すなわち、アナログＩ／Ｆ３１は、これに接続されたアナログ再生装置５７から、当該アナログ再生装置５７にて再生されたアナログ音声信号を入力する。
【００７０】
変調部３２は、ラジオ受信チューナ２１から出力される中間周波信号を周波数変調して、アナログＩ／Ｆ３１から出力されるアナログ音声信号とほぼ同じ周波数帯域の信号に変換する。
【００７１】
Ａ／Ｄ変換器３３は、ラジオ受信チューナ２１から出力される中間周波信号をデジタルラジオデータに変換する。このＡ／Ｄ変換器３３はまた、変調部３２より出力されるアナログ音声信号をデジタル音声データに変換する。本実施形態では、アナログＩ／Ｆ３１から入力されるアナログ音声信号の比較的低い周波数に合わせて、Ａ／Ｄ変換器３３を比較的低い周波数で動作させるものとする。この場合、ラジオ受信チューナ２１から出力される中間周波信号に対して変調部３２で周波数変調をかけて、Ａ／Ｄ変換器３３の低い動作周波数とほぼ同じ周波数帯域の信号に変換するのが好ましい。
【００７２】
ＤＳＰ３４は、その機能構成として、復調処理部２３ａ、デコード処理部２３ｂおよび変調処理部３４ａを備えている。復調処理部２３ａは、Ａ／Ｄ変換器３３から出力されるデジタルラジオデータに対して検波、ステレオ復調、ディエンファシス等を行ってデジタル復調データを生成する。デコード処理部２３ｂは、デジタルＩ／Ｆ１１により入力された音楽データをデコードしてデジタル音楽データ（本発明の第１のデジタル音声データに相当）を生成する。
【００７３】
変調処理部３４ａは、上述のデコード処理により生成されたデジタル音楽データをステレオ変調してデジタル変調データ（本発明の第１のデジタル変調データに相当）を生成する。この変調処理部３４ａまた、Ａ／Ｄ変換器３３から出力されるデジタル音声データ（本発明の第２のデジタル音声データに相当）をステレオ変調してデジタル変調データ（本発明の第２のデジタル変調データに相当）を生成する。ここで変調処理部３４ａが入力するデジタルデータは、ＬチャンネルおよびＲチャンネルのステレオ音声データである。変調処理部３４ａは、図２に示したＤＳＰ１２内の構成と同様に構成されている。また、図５でも図示を省略しているが、ＤＳＰ３４の外部には、実際には図２のような水晶発振回路１０１および基準周波数発生器１０２が存在する。
【００７４】
復調処理部２３ａ、デコード処理部２３ｂおよび変調処理部３４ａの処理は、ＲＯＭ１３に格納されている各種制御プログラムに従って選択的に行われる。例えば、ラジオ受信チューナ２１で受信したラジオ放送の音声情報を携帯電話機の内蔵スピーカやイヤホン等（図示せず）から出力する場合には、復調処理部２３ａのみが動作し、デコード処理部２３ｂおよび変調処理部３４ａは動作しない。
【００７５】
また、外部メモリ５１から再生されたＭＰ３等の音楽情報を携帯電話機の内蔵スピーカやイヤホン等（図示せず）から出力する場合には、デコード処理部２３ｂのみが動作し、復調処理部２３ａおよび変調処理部３４ａは動作しない。一方、ＭＰ３等の音楽情報を変調して携帯電話機の外部に無線送信する場合には、デコード処理部２３ｂおよび変調処理部３４ａが動作し、復調処理部２３ａは動作しない。
【００７６】
また、アナログＩ／Ｆ３１より入力された音声情報を携帯電話機の内蔵スピーカやイヤホン等（図示せず）から出力する場合には、復調処理部２３ａ、デコード処理部２３ｂおよび変調処理部３４ａの何れも動作しない。一方、アナログＩ／Ｆ３１より入力された音声情報を変調して携帯電話機の外部に無線送信する場合には、変調処理部３４ａのみが動作し、復調処理部２３ａおよびデコード処理部２３ｂは動作しない。
【００７７】
変調処理部３４ａが行う変調の方式は任意である。例えば、ＡＭ変調、ＦＭ変調、ＰＭ変調、ＦＳＫ変調、ＰＳＫ変調、ＡＰＳＫ変調、デジタル放送の変調方式（ＱＰＳＫ、ＢＰＳＫ、ＱＡＭなどのＩＱ変調）などを適用することが可能である。変調処理部３４ａが行う変調処理の内容は、図１に示したＤＳＰ１２が行う変調処理と同様である。
【００７８】
変調出力装置３０が実装される携帯電話機には各種の操作キーが設けられており、ユーザがその操作キーを操作することによって、ラジオの受信再生、ＭＰ３等の音楽情報の内部再生（内蔵スピーカ等への出力）、アナログ音声信号の内部再生、再生音楽情報や再生音声情報の変調送信の何れかの動作を指定することが可能である。ＤＳＰ３４は、ＲＯＭ１３に格納されている各種制御プログラムのうち、指定された動作に対応する制御プログラムに従ってデジタル信号処理を実行する。
【００７９】
Ｄ／Ａ変換器１４は、ＤＳＰ３４より出力されるデジタル復調データ（ラジオ信号をデジタル化して処理したもの）、デジタル音楽データ（ＭＰ３等の音楽データを再生したもの）、デジタル音声データ（再生アナログ音声信号をデジタル化して処理したもの）およびデジタル変調データ（デジタル音楽データやデジタル音声データをステレオ変調したもの）をアナログ信号に変換する。
【００８０】
そして、Ｄ／Ａ変換器１４は、デジタル復調データをＤ／Ａ変換したときは、変換されたアナログ復調信号を携帯電話機のイヤホン端子５４または図示しない携帯電話機内蔵スピーカに出力する。また、デジタル音楽データをＤ／Ａ変換したときは、変換されたアナログ音声信号をイヤホン端子５４または図示しない携帯電話機内蔵スピーカに出力する。また、デジタル音声データをＤ／Ａ変換したときは、変換されたアナログ音楽信号をイヤホン端子５４または図示しない携帯電話機内蔵スピーカに出力する。また、デジタル変調データをＤ／Ａ変換したときは、変換されたアナログ変調信号を送信部１５に出力する。
【００８１】
このような出力先の切り替えは、例えば、ＤＳＰ３４がＲＯＭ１３に格納されている制御プログラムに従って実行する。例えば、Ｄ／Ａ変換器１４の出力段に、出力先の切替スイッチを設けておく。そして、ラジオ受信チューナ２１で受信された音声情報、外部メモリ５１から読み出されたＭＰ３等の音楽情報、アナログＩ／Ｆ３１から入力された音声情報を携帯電話機の内蔵スピーカやイヤホン等から出力することが指定されている場合には、ＤＳＰ３４の制御によって切替スイッチをイヤホン端子５４または図示しない携帯電話機内蔵スピーカの方に切り替える。一方、外部メモリ５１から読み出されたＭＰ３の音楽情報、アナログＩ／Ｆ３１から入力された音声情報を変調して携帯電話機の外部に無線送信することが指定されている場合には、ＤＳＰ３４の制御によって切替スイッチを送信部１５の方に切り替える。
【００８２】
図５に示したように、第３の実施形態による変調出力装置３０では、ラジオ放送の中間周波信号の復調に関する処理と、ＭＰ３等の音楽情報の再生に関する処理と、アナログ音声信号の再生に関する処理と、再生された音楽情報を変調して無線送信する処理との全てを、ＤＳＰ３４にてデジタル信号処理として行うようにしている。これにより、４種類の内容の処理を１つのＤＳＰ３４で行うことができ、処理の内容ごとに異なる処理系統の回路を設ける必要がなくなる。
【００８３】
また、ＤＳＰ３４から出力されたデジタルデータをアナログ信号に変換するＤ／Ａ変換器に関しても、４種類の内容の処理ごとに別個に設けるのではなく、１つのＤ／Ａ変換器１４を用いて変換を行い、処理の内容ごとに出力先を切り替えるようにしている。これにより、複数のＤ／Ａ変換器を設ける必要もなくなる。
【００８４】
さらに、ＤＳＰ３４にデジタルデータを供給するために用いるＡ／Ｄ変換器に関しても、ラジオ放送の中間周波信号をデジタルデータに変換する目的と、アナログ再生装置５７で再生されたアナログ音声信号をデジタルデータに変換する目的とで別個に設けるのではなく、１つのＡ／Ｄ変換器３３を用いて変換を行うようにしている。これにより、複数のＡ／Ｄ変換器を設ける必要もなくなる。
【００８５】
以上のことから、外部メモリ５１から再生したＭＰ３等の音楽情報を携帯電話機の内蔵スピーカやイヤホン等から出力する機能と、外部のアナログ再生装置５７で再生した音声情報を携帯電話機の内蔵スピーカやイヤホン等から出力する機能と、再生した音楽情報や音声情報を変調して外部に送信する機能と、ラジオ放送を受信して再生する機能とをできるだけ簡単な構成で実現することができ、携帯電話機の小型・軽量化に貢献できる。
【００８６】
なお、上記第３の実施形態では、デジタルＩ／Ｆ１１を変調出力装置３０の構成要素に含め、これらも含めて１チップに集積化する例について説明したが、本発明はこれに限定されない。本発明の変調出力装置は、デジタルＩ／Ｆ１１以外のＲＯＭ１３、Ｄ／Ａ変換器１４、送信部１５、ラジオ受信チューナ２１、アナログＩ／Ｆ３１、変調部３２、Ａ／Ｄ変換器３３およびＤＳＰ３４を含むものとし、これらを１チップに集積化して構成したものであっても良い。
【００８７】
また、上記第３の実施形態では、ラジオ受信チューナ２１を変調出力装置３０の構成要素に含め、これらも含めて１チップに集積化する例について説明したが、本発明はこれに限定されない。本発明の変調出力装置は、ラジオ受信チューナ２１以外のデジタルＩ／Ｆ１１、ＲＯＭ１３、Ｄ／Ａ変換器１４、送信部１５、アナログＩ／Ｆ３１、変調部３２、Ａ／Ｄ変換器３３およびＤＳＰ３４を含むものとし、これらを１チップに集積化して構成したものであっても良い。
【００８８】
また、上記第３の実施形態では、ＲＯＭ１３を変調出力装置３０の構成要素に含め、これも含めて１チップに集積化する例について説明したが、ＲＯＭ１３はチップ外に設けても良い。
【００８９】
また、上記第３の実施形態では、ラジオ受信チューナ２１で受信したラジオ放送の音声情報については必ず携帯電話機の内蔵スピーカやイヤホン等から出力する例について説明したが、ラジオ放送の音声情報についても、これを変調して外部に送信できるように構成しても良い。
【００９０】
また、上記第３の実施形態では、Ａ／Ｄ変換器３３およびＤ／Ａ変換器１４の双方とも１つのみ設け、中間周波信号のデジタル化とアナログ音声信号のデジタル化にＡ／Ｄ変換器３３を共用し、イヤホン端子５４へのアナログ出力と送信部１５へのアナログ出力にＤ／Ａ変換器１４を共用する例について説明しているが、本発明は必ずしもＡ／Ｄ変換器３３およびＤ／Ａ変換器１４の双方とも共用する例に限定されない。
【００９１】
また、上記第３の実施形態では、ラジオ放送の受信とアナログ音声信号の入力との何れかを選択的に処理する例について説明しているが、これに限定されない。例えば、ラジオ受信チューナ２１で生成される中間周波信号とアナログＩ／Ｆ部３１から入力されるアナログ音声信号とをデジタル化してＤＳＰ３４にて双方のデータを時分割的に並列処理する。そして、処理した双方のデータをアナログ化して、一方をイヤホン端子５４から出力するとともに、他方を送信部１５から外部に送信するようにしても良い。この場合は、２種類のデータを並列的にＡ／Ｄ変換およびＤ／Ａ変換するために、Ａ／Ｄ変換器とＤ／Ａ変換器とが２つずつ必要になる。しかし、Ａ／Ｄ変換およびＤ／Ａ変換を除く処理に関しては少なくとも１つのＤＳＰ３４を使って並列的に行うことができるので、その部分では処理の内容ごとに異なる処理系統の回路を設ける必要がなくなる。
【００９２】
また、上記第１〜第３の実施形態では、ＭＰ３形式の音楽データを変調して出力する例について説明したが、音楽データの形式はこれに限定されない。例えば、ＡＡＣ（Advanced Audio Coding）、ＡＣ-３（Dolby Digital）、ＡＴＲＡＣ３（Adaptive Transform Acoustic Coding）、TwinＶＱ、ＷＭＡ（Windows Media Audio：Windowsは登録商標）など他の形式の音楽データを変調して出力するようにしても良い。
【００９３】
また、上記第１〜第３の実施形態では、外部メモリ５１に記憶されたＭＰ３形式の音楽データをデジタルＩ／Ｆ１１から入力する例について説明したが、これに限定されない。例えば、入力するデジタルデータは音楽データに限らず、音楽以外の音声データであっても良い。また、デジタルＩ／Ｆ部１１とは異なる図示しない通信部（最近の携帯電話には通常備えられている）によりインターネット経由で音楽データや音声データをダウンロードし、これをＤＳＰ１４，２３，３４で処理するようにしても良い。
【００９４】
また、上記第１〜第３の実施形態では、変調出力装置１０，２０，３０を携帯電話機に実装する例について説明したが、実装する機器はこれに限定されない。例えば、ＰＤＡ（Personal Digital Assistants）、ＩＣレコーダ、携帯型ＭＰ３プレーヤなどに変調出力装置１０，２０，３０を実装するようにしても良い。
【００９５】
また、上記第１〜第３の実施形態では、ＤＳＰ１２，２３，３４の制御プログラムを格納する記録媒体としてＲＯＭ１３を用いる例について説明しているが、記録媒体はＲＯＭに限定されない。例えば、ＥＥＰＲＯＭやその他の半導体メモリ等であっても良い。
【００９６】
その他、上記第１〜第３の実施形態は、何れも本発明を実施するにあたっての具体化の一例を示したものに過ぎず、これらによって本発明の技術的範囲が限定的に解釈されてはならないものである。すなわち、本発明はその精神、またはその主要な特徴から逸脱することなく、様々な形で実施することができる。
【産業上の利用可能性】
【００９７】
本発明は、外部メモリ等から再生したＭＰ３等のデジタル音楽情報や外部機器で再生したアナログ音声情報を変調して外部に送信することを可能にした携帯電話機その他の電子機器に有用である。
【図１】
0004238266.tif 000002
【図２】
0004238266.tif 000003
【図３】
0004238266.tif 000004
【図４】
0004238266.tif 000005
【図５】
0004238266.tif 000006